(57)【要約】【課題】有機ＥＬディスプレイを、高性能かつ小型のエレクトロニクス機器に使用し、その発熱による影響を最大限回避する。【解決手段】回転連結部１０２によって連結されている本体部１００ａと本体部１００ｂと、画像表示部１０１とを有し、使用時には本体部１００ａと本体部１００ｂとが回転連結部１０２において所定の角度をもって開いた状態となり、本体部１００ａの一部１０９ａから本体部１００ｂの一部１０９ｂに至る画像表示部１０１が１つの平面となり、画像表示部１０１と本体部１００ａおよび本体部１００ｂとは、その接合部１０９以外の部分は離れた状態となり、不使用時には本体部１００ａと本体部１００ｂとが回転連結部１０２において折り畳まれた状態となり、画像表示部１０１は本体部１００ａと本体部１００ｂとの間に挟まれて折り畳まれた状態となる。【選択図】図１
2007140247.tif 000002
【特許請求の範囲】
【請求項１】
回転連結部によって連結されている第１の本体部と第２の本体部と、
前記第１の本体部の一部である接合部と前記第２の本体部の一部である接合部とに接合している画像表示部と、
を有し、
使用時には前記第１の本体部と前記第２の本体部とが前記回転連結部において所定の角度をもって開いた状態となり、
前記第１の本体部の接合部から前記第２の本体部の接合部に至る前記画像表示部が１つの平面となり、
前記画像表示部と前記第１の本体部および前記第２の本体部とは、前記接合部以外の部分は離れた状態となり、
不使用時には前記第１の本体部と前記第２の本体部とが前記回転連結部において折り畳まれた状態となり、
前記画像表示部は前記第１の本体部と前記第２の本体部との間に挟まれて折り畳まれた状態となる、
携帯型画像表示装置。
【請求項２】
前記所定の角度は９０度以上で１８０度未満の角度である、
請求項１に記載の携帯型画像表示装置。
【請求項３】
前記回転連結部によって連結されている前記第１の本体部の前記画像表示部との接合部と、前記第２の本体部の前記画像表示部との接合部との間に、表示画像処理部を有し、
前記第１の本体部における前記画像表示部との接合部よりも外側、および前記第２の本体部における前記画像表示部との接合部よりも外側に、入力部および音声出力部のいずれかまたは両方を有する、
請求項１または請求項２に記載の携帯型画像表示装置。
【請求項４】
前記画像表示部はエレクトロルミネッセンス表示素子で構成される、
請求項１から請求項３のいずれか１項に記載の携帯型画像表示装置。
【請求項５】
前記第１の本体部の一部である接合部と前記第２の本体部の一部とにおける画像表示部との接合は、所定以上の力が加えられると接合を解除する、
請求項１から請求項４のいずれか１項に記載の携帯型画像表示装置。
【請求項６】
請求項１から請求項５のいずれか１項に記載の携帯型画像表示装置を、その画像表示部または画像表示部の一部、およびその本体部または本体部の一部として備えている、
携帯電話装置。
【発明の詳細な説明】
【技術分野】
【０００１】
本発明は、エレクトロルミネッセンス表示素子およびその他の表示素子を使用した、携帯型の画像表示装置、および、この画像表示装置を、その画像表示部または画像表示部の一部、およびその本体部または本体部の一部として備えている、携帯電話装置に関するものである。
【背景技術】
【０００２】
エレクトロルミネッセンス表示素子（Ｅｌｅｃｔｒｏｌｕｍｉｎｅｓｃｅｎｃｅ  Ｄｉｓｐｌａｙ  Ｄｅｖｉｃｅ）は、ＥＬディスプレイ等と呼ばれることもあり、「エレクトロルミネッセンス（ｅｌｅｃｔｒｏｌｕｍｉｎｅｓｃｅｎｃｅ）」という、いったん励起された分子が、ふたたび元の状態に戻るとき、熱をほとんど生じることなく光を発する現象を利用した表示素子である。このような現象を生じる物質を発光体として、ガラスや樹脂からなる基板上に蒸着し、基板にかける電圧を制御することで基板上の発光状態を変化させ、画像や文字等の表示を行なうことができる。低電力で高い輝度が得ることができるうえに、視認性、応答速度、寿命、消費電力等の点で非常に優れた特性を備えており、液晶ディスプレイよりも薄型化することができると同時に、自発光式であるからバックライトのような付加部材を必要とせず、表示品質も非常に優れている。
【０００３】
エレクトロルミネッセンス表示素子には、硫化亜鉛などの無機物を使用する「無機ＥＬディスプレイ」と、ジアミン類などの有機物を使う「有機ＥＬディスプレイ」との２種類がある。しかしながら、無機ＥＬディスプレイはカラー表示が困難などの課題がある。一方、有機ＥＬディスプレイは、無機ＥＬディスプレイにはない多くの利点を有しており、他方面での利用が期待されている。
【０００４】
有機ＥＬディスプレイの基本構造は、発光層が２つの電極の間に挟まれたサンドイッチ型である。ただし、発光層の光を外に取り出すために、電極の片方は透明のものが使われており、例えば、陽極（アノード）に、「ＩＴＯ（Ｉｎｄｉｕｍ  Ｔｉｎ  Ｏｘｉｄｅ：スズをドープした酸化インジウム）」という透明電極が使われることもある。
【０００５】
発光層である有機層は、一層から多層まで様々であり、それぞれの層の役割も異なっている。発光層に使用される有機分子も、低分子から高分子まで、種々のものがある。いずれの場合にも、有機層は数１００ｎｍと、非常に薄いのが特徴である。
【０００６】
エレクトロルミネッセンスという現象は、ガリウムなどの無機固体結晶を使った「発光ダイオード（ＬＥＤ）」でも利用されている。しかしながら、ＬＥＤではｐ型半導体とｎ型半導体を接合しているため、電気の担い手となるキャリアが存在しているが、有機ＥＬ素子の有機分子にはキャリアがほとんど存在しないということにおいて、大きく異なっている。そのために、有機ＥＬ素子で発光をさせるには、陽極と正極から正孔と電子をそれぞれ注入する必要があり、しかも、高輝度・高効率な発光のためには、発光層へ両キャリアをバランス良く注入しなければならない。
【０００７】
このような課題はあるものの、有機発光層自体は上記の通り非常に薄く、またそのベース素材として折り曲げが容易でかつ折り曲げに対して強靭なものを使用すると、フレキシブルな画像表示素子を構成することができるという、他の表示素子にはない極めて特異かつ優れた特徴をも備えている。このような有機ＥＬ表示素子の折り畳み可能性を活用した例として、下記特許文献には、折り畳み可能なディスプレイを備えたパーソナル・コンピュータが開示されている。
【特許文献１】特開２００４−１１０３０３号公報
【発明の開示】
【発明が解決しようとする課題】
【０００８】
しかしながら、上記のような有機ＥＬディスプレイは、その有機分子が熱に対して弱く、温度が上昇した時に変質しやすいために、高温に曝されると素子が劣化する傾向にあり、発光効率が低下したり、寿命が短縮されやすいという課題を有していた。
【０００９】
そして、近年、個人情報機器を始めとするエレクトロニクス機器・製品は、益々高性能化かつ小型化する傾向を見せている。
【００１０】
高性能化は、半導体ＬＳＩを始めとする電気素子の高集積化と動作速度のアップを招来し、このことは半導体ＬＳＩ等の発熱を誘発するものであった。また、小型化は、各種部品の半導体ＬＳＩ依存を高めると同時に、その高集積化を誘発し、これもまた、温度の上昇を引き起こすという結果に至るものである。
【００１１】
そして、上記のように優れた特性を有する有機ＥＬディスプレイを、このような高性能かつ小型の個人情報機器を始めとするエレクトロニクス機器に使用すると、その発熱の影響を受け、好ましくない結果に至るという課題を有していた。
【００１２】
本発明は、このような課題を解決するために行われたもので、優れた特性を有する有機ＥＬディスプレイを、高性能かつ小型の個人情報機器を始めとするエレクトロニクス機器に使用しながら、なおかつ、その発熱による影響を最大限回避し、高画像品質、安定動作性能、優れた視認性、高応答速度、長寿命、低消費電力を実現することを目的とするものである。
【課題を解決するための手段】
【００１３】
本特許出願に係る請求項１に記載の発明は、回転連結部によって連結されている第１の本体部と第２の本体部と、前記第１の本体部の一部である接合部と前記第２の本体部の一部である接合部とに接合している画像表示部と、を有し、使用時には前記第１の本体部と前記第２の本体部とが前記回転連結部において所定の角度をもって開いた状態となり、前記第１の本体部の接合部から前記第２の本体部の接合部に至る前記画像表示部が１つの平面となり、前記画像表示部と前記第１の本体部および前記第２の本体部とは、前記接合部以外の部分は離れた状態となり、不使用時には前記第１の本体部と前記第２の本体部とが前記回転連結部において折り畳まれた状態となり、前記画像表示部は前記第１の本体部と前記第２の本体部との間に挟まれて折り畳まれた状態となる、携帯型画像表示装置である。
【００１４】
このような構成を採ることによって、高性能かつ小型の個人情報機器を始めとするエレクトロニクス機器において、放熱シートなどの特殊な部材を付加することなく、簡単な構造で、その本体部で発生する熱が画像表示部に及ぼす影響を最大限回避し、高画像品質、安定動作性能、優れた視認性を実現することができるうえに、携帯時には小さく折り畳みながら、使用時には大きな画面を利用することが可能になる。
【００１５】
本特許出願に係る請求項２に記載の発明は、前記所定の角度は９０度以上で１８０度未満の角度である、請求項１に記載の携帯型画像表示装置である。
【００１６】
このような構成をとることによって、携帯型画像表示装置の底面積が比較的大きくなり、何らの支えを必要とせずに自立させることができ、例えば、机上等に自立して設置し、視聴することができると共に、例えば５つのスピーカーと低音用のウーファーとを設置して、５．１ｃｈサウンドを実現した時には、その優れた音質を楽しむのに有効でもある。
【００１７】
本特許出願に係る請求項３に記載の発明は、前記回転連結部によって連結されている前記第１の本体部の前記画像表示部との接合部と、前記第２の本体部の前記画像表示部との接合部との間に、表示画像処理部を有し、前記第１の本体部における前記画像表示部との接合部よりも外側、および前記第２の本体部における前記画像表示部との接合部よりも外側に、入力部および音声出力部のいずれかまたは両方を有する、請求項１または請求項２に記載の携帯型画像表示装置である。
【００１８】
このような構成を採ることによって、高性能な個人情報機器をより一層小型化できると同時に、その発熱が画像表示部に及ぼす影響を最大限回避し、高画像品質、安定動作性能、優れた視認性を実現することが可能になる。
【００１９】
本特許出願に係る請求項４に記載の発明は、前記画像表示部はエレクトロルミネッセンス表示素子で構成される、請求項１から請求項３のいずれか１項に記載の携帯型画像表示装置である。
【００２０】
このような構成を採ることによって、優れた特性を有する有機ＥＬディスプレイを、高性能かつ小型の個人情報機器を始めとするエレクトロニクス機器に使用しながら、なおかつ、その発熱による影響を最大限回避し、高画像品質、安定動作性能、優れた視認性、高応答速度、長寿命、低消費電力を実現することが可能になる。
【００２１】
本特許出願に係る請求項５に記載の発明は、前記第１の本体部の一部である接合部と前記第２の本体部の一部とにおける画像表示部との接合は、所定以上の力が加えられると接合を解除する、請求項１から請求項４のいずれか１項に記載の携帯型画像表示装置である。
【００２２】
このような構成を採ることによって、本来予定された以上の力を本体部に加え、第１の本体部と第２の本体部との角度を開こうとした時、破壊や破断に至ることを未然に防止することが可能になる。
【００２３】
本特許出願に係る請求項６に記載の発明は、請求項１から請求項５のいずれか１項に記載の携帯型画像表示装置を、その画像表示部または画像表示部の一部、およびその本体部または本体部の一部として備えている、携帯電話装置である。
【００２４】
このような構成を採ることによって、本体部と画像表示部との間に空間（隙間）が存在するため、例えばこの隙間に指を入れるなどによって、非常に持ちやすく、持ってダイヤルプッシュボタン等の操作を行った時にも横ブレし難く、操作が安定するという優れた効果をえることができる。
【発明の効果】
【００２５】
本発明によると、優れた特性を有する有機ＥＬディスプレイを、高性能かつ小型の個人情報機器を始めとするエレクトロニクス機器に使用しながら、なおかつ、その発熱による画像表示部への影響を最大限回避し、高画像品質、安定動作性能、優れた視認性、高応答速度、長寿命、低消費電力を実現することが可能になる。
【発明を実施するための最良の形態】
【００２６】
（第１の実施の形態）
以下に、本発明の第１の実施の形態について、図を参照しながら説明する。
【００２７】
図１は、本発明に係る携帯型画像表示装置の第１の実施の形態である携帯型テレビ１００の外観を示す斜視図である。
【００２８】
この携帯型テレビ１００は、本体部１０５と画像表示部１０１とを、主要な構成要素として備えている。本体部１０５は、詳細には２つの部分（本体部１０５ａと本体部１０５ｂ）に分かれており、本体部１０５ａと本体部１０５ｂとは、回転連結部の一実施例であるヒンジ部１０２で回転可能に接続されている。本体部１０５には、携帯型テレビ１００において放送電波を受信し、選局し、デコードし、画像処理や音声処理を行って、表示・再生するための電子回路が内蔵されている。
【００２９】
この電子回路はマイコンを始めとしてＬＳＩ化されており、非常に小型かつ薄型で、高速動作することができる。同時に、最大限低消費電力化のための工夫が行われているが、それでもこのような高機能ＬＳＩでは比較的大きな消費電力を必要とし、そのために発熱も大きなものとならざるをえない。
【００３０】
その他、この本体部１０５には、携帯型テレビ１００を構成するために必要となる部品、例えばスピーカー１０３や、操作ボタンスイッチ１０４などが備えられている。なお、図１では、本体部１０５ａと本体部１０５ｂとに１つずつスピーカー１０３を備えるように示しているが、これはあくまで一例に過ぎず、例えば５つのスピーカーと低音用のウーファーとを本体部１０５ａ、本体部１０５ｂ、ヒンジ部１０２、画像表示部１０１などに設置して、５．１ｃｈサウンドを実現することも可能である。
【００３１】
操作ボタンスイッチ１０４は、図１では詳細に示していないが、例えば、携帯型テレビ１００自体の電源オンオフスイッチや、チャンネル設定スイッチ、チャンネルアップ・チャンネルダウンスイッチ、音量設定スイッチ、音量アップ・音量ダウンスイッチ、その他画質調整スイッチ、ミュートスイッチ、表示切替スイッチ等、適宜選択して設けることができる。
【００３２】
また、操作ボタンスイッチ１０４としては、各種の導電性接点をオンオフする方式のスイッチだけでなく、各種のタッチセンサー式のスイッチ等を使用することもできる。
【００３３】
画像表示部１０１は、受信したテレビ放送電波から再生した画像を表示するための構成部品であり、有機ＥＬディスプレイで構成されている。上記の通り、有機ＥＬディスプレイは、低電力で高い輝度を得ることができ、視認性、応答速度、寿命等の点で優れた特性を備えており、非常に薄く、折り曲げることも容易である。
【００３４】
そして、この画像表示部１０１の両端は、本体部１０５ａと本体部１０５ｂとにそれぞれ接続されている。本体部１０５ａと本体部１０５ｂとにおける接続点は、本体部１０５ａの端（ヒンジ部１０２と反対側の端）からヒンジ部１０２に至る途中であり、その具体的な一例は、図２に示す接合部１０９である。
【００３５】
そしてさらに、この画像表示部１０１の両端（本体部１０５ａとの接続点と本体部１０５ｂとの接続点）間の長さを、本体部１０５ａにおける画像表示部１０１との接合部１０９ａからヒンジ部１０２を経て本体部１０５ｂにおける画像表示部１０１との接合部１０９ｂに至るまでの長さよりも短く設定する。
【００３６】
これによって、本体部１０５ａと本体部１０５ｂとをヒンジ部１０２を中心として、９０度以上で１８０度よりも小さなある角度に開いたとき、画像表示部１０１が平面となるようにすることができる。図１はこの状態の外観を示す斜視図であり、この状態を上方から見た平面図を図２に示す。この状態はまた、携帯型テレビ１００の使用時の状態でもある。
【００３７】
この携帯型テレビ１００を折り畳んだ状態、すなわち不使用時の状態の上方から見た平面図を図３に示す。図３からは、有機ＥＬディスプレイで構成される画像表示部１０１が２つに折り曲げられている様子を見ることができる。
【００３８】
上記のとおり、携帯型テレビ１００を構成する本体部１０５ａと本体部１０５ｂとは、ヒンジ部１０２を中心にして回転し、開閉することができる。これを最も閉じた状態が図３に相当し、これはまた、携帯型テレビ１００を使用しないときに折り畳んだ状態に相当する。
【００３９】
この本体部１０５ａと本体部１０５ｂとを、ヒンジ部１０２を中心に回転させながら少しずつ開いて行き、これ以上開けない状態になった時が、図１と図２とに相当する。これはまた、携帯型テレビ１００を使用する時の状態でもある。
【００４０】
図１および図２から見ることができるとおり、この携帯型テレビ１００の使用時においては、本体部１０５ａおよび本体部１０５ｂと、画像表示部１０１との間には空間ができている。そして、マイコンを始めとしてＬＳＩ化された多くの部品を内蔵し、最大限低消費電力化のための工夫が行われているとはいうものの、そのために発熱も大きなものとならざるをえない本体部１０５と、多くの優れた特性を有しながら、熱に弱いという性質を有する有機ＥＬディスプレイで構成された画像表示部１０１とが、この空間を挟んで一定の距離をおき、離れた状態で設置されていることを見ることができる。
【００４１】
このことから直ちに、本体部１０５で発生した熱が、この空間で遮られ、画像表示部１０１に伝わりにくいことが理解できる。これによって、画像表示部１０１は、本体部１０５で発生した熱の影響をほとんど受けることがなく、長寿命、安定動作、均一な高画質などの長所を欠くことなく最大限発揮することが可能になる。
【００４２】
さらに、図１、図２、図３を比較して分かるとおり、不使用時の折り畳んだ時の大きさに比較して、使用時の画像表示部１０１の大きさを最大限確保することができ、持ち運びの利便性と大画面のテレビ画像とを合わせて享受することができる。
【００４３】
さらにまた、この携帯型テレビ１００は、その名の通り携帯型であるが、机上等に置いて使用することももちろん可能である。この時、図１から分かるとおり、本体部１０５ａと本体部１０５ｂとをヒンジ部１０２を中心として、９０度以上で１８０度よりも小さなある角度に開き、画像表示部１０１が平面となるようにした時、携帯型テレビ１００の底面積は比較的大きくなるので、何らの支えを必要とせずに自立させることができる。このように、携帯型テレビ１００を机上等に自立して設置し、視聴することはまた、例えば５つのスピーカーと低音用のウーファーとを本体部１０５ａ、本体部１０５ｂ、ヒンジ部１０２、画像表示部１０１などに設置して、５．１ｃｈサウンドを実現した時には、その優れた音質を楽しむのに特に有効な方法でもある。
【００４４】
また、図１には必ずしも示していないが、例えば画像表示部１０１の表面に透明型のタッチセンサースイッチを設置し、画像表示部１０１の表示と連動させて何らかの操作を行ったり情報を入力することのできるインタフェースとすることも可能である。このようなマンマシン・インタフェースを採用することによって、携帯型テレビ１００をより使いやすくすると同時に、より多様な機能を持たせることもできる。
【００４５】
あるいは、本体部１０５ａと本体部１０５ｂとをヒンジ部１０２を中心として、９０度以上で１８０度よりも小さなある角度に開き、画像表示部１０１が平面となるようにした時、通常の使用ではこれ以上、本体部１０５ａと本体部１０５ｂとをヒンジ部１０２を中心として開くことはできないが、それでも本体部１０５ａと本体部１０５ｂとに無理に力を加えて、ヒンジ部１０２を中心として開こうとすると、例えば画像表示部１０１が破壊したり、接合部１０９において本体部１０５と画像表示部１０１とが破断する恐れがある。そこで、このような破壊や破断が起るのを防止するため、これも必ずしも明確には図示していないが、本体部１０５と画像表示部１０１とを接合部１０９において所定の摩擦力をもって接続保持するように固定し、その摩擦力を超える力が加えられると、本体部１０５と画像表示部１０１とを破壊することなく、接合部１０９で離れるように構成することも可能である。
【００４６】
（第２の実施の形態）
以下に、本発明の第２の実施の形態について、図を参照しながら説明する。
【００４７】
図４は、本発明に係る携帯型画像表示装置の第２の実施の形態である携帯電話装置４００の外観を示す斜視図である。
【００４８】
この携帯電話装置４００も、本体部４０５と画像表示部４０１とを、主要な構成要素として備えている。本体部４０５は、詳細には２つの部分（本体部４０５ａと本体部４０５ｂ）に分かれており、本体部４０５ａと本体部４０５ｂとは、ヒンジ部４０２で回転可能に接続されている。これらのてんに関しては、本発明の第２の実施の形態である携帯電話装置４００は、本発明の第１の実施の形態である携帯型テレビ１００と同様である。
【００４９】
本体部４０５には、携帯電話装置４００において通話やインターネットアクセス、ゲーム、その他の各種機能を行うための電子回路が内蔵されている。これについても、同様であり、比較的大きな消費電力を必要とし、そのために発熱も大きなものとならざるをえないことについても、同様である。
【００５０】
その他、この本体部４０５には、携帯電話装置４００を構成するために必要となる部品、例えばスピーカー４２５や、各種の操作ボタンスイッチ４２２〜４２４、マイクロフォン４２１、アンテナ（図示せず）などが備えられている。
【００５１】
操作ボタンスイッチ４２２〜４２４は、図４に一例を示す通り、電源をオンオフするための電源オンオフスイッチ４２２、電話番号をダイヤルするための数字入力スイッチ４２３、音量を増減するための音量増減スイッチ４２４、その他のスイッチ類から構成されている。これらの各種スイッチに関しても、そのアプリケーション面から見た機能は携帯型テレビ１００と携帯電話装置４００とで異なるが、技術的、物理的な構成は同様である。
【００５２】
また、図示していないが、携帯電話装置４００は、例えば静止画や動画を撮影するためのカメラ部や、ＳＤメモリカードを始めとする拡張メモリカード・アダプタ等を備えていても構わない。また、アナログ地上波テレビ放送、デジタル地上波テレビ放送（１−Ｓｅｇ、１２−Ｓｅｇ）、デジタル衛星テレビ放送、各種ラジオ放送などの受信機能を有していても構わない。
【００５３】
画像表示部４０１は、各種画像情報を表示するためのもので、電話機能に関しては、「通話可否」や「通話中の相手」を表示したり、電話番号簿を表示したり、インターネットを経由して送受信した画像を表示したり、カメラ部を備えている時にはカメラ部で撮影した画像を表示したり、各種テレビ放送受信機能を備えている時には、受信したテレビ放送を表示することができる。
【００５４】
この画像表示部４０１も有機ＥＬディスプレイで構成されており、上記の通り、有機ＥＬディスプレイは、低電力で高い輝度を得ることができ、視認性、応答速度、寿命等の点で優れた特性を備えており、非常に薄く、折り曲げることも容易である。この画像表示部４０１の両端は、本体部４０５ａと本体部４０５ｂとにそれぞれ接続されている。
【００５５】
そして、本体部４０５ａと本体部４０５ｂとをヒンジ部４０２を中心として、９０度以上で１８０度よりも小さなある角度に開いたとき、画像表示部４０１が平面となるようにすることができる。図４はこの状態の外観を示す斜視図であり、この状態を上方から見た平面図は図２と同様である。この状態はまた、携帯電話装置４００の使用時の状態でもある。
【００５６】
この携帯電話装置４００を折り畳んだ状態、すなわち不使用時の状態の上方から見た平面図は図３と同様である。図３は、有機ＥＬディスプレイで構成される画像表示部４０１が２つに折り曲げられている様子をも示している。
【００５７】
図４および図２から見ることができるとおり、この携帯電話装置４００の使用時においても、本体部４０５ａおよび本体部４０５ｂと、画像表示部４０１との間には空間ができている。そして、マイコンを始めとしてＬＳＩ化された多くの部品を内蔵し、そのために発熱も大きなものとならざるをえない本体部４０５と、多くの優れた特性を有しながら、熱に弱いという性質を有する有機ＥＬディスプレイで構成された画像表示部４０１とが、この空間を挟んで一定の距離をおき、離れた状態で設置されていることを見ることができる。
【００５８】
このことから直ちに、本体部４０５で発生した熱が、この空間で遮られ、画像表示部４０１に伝わりにくいことが理解できる。これによって、画像表示部４０１は、本体部４０５で発生した熱の影響をほとんど受けることがなく、長寿命、安定動作、均一な高画質などの長所を欠くことなく最大限発揮することが可能になる。
【００５９】
さらに、携帯電話装置４００では、この本体部４０５を持って操作するとき、本体部４０５と画像表示部４０１との間に空間（隙間）が存在するため、例えばこの隙間に指を入れるなどによって、非常に持ちやすく、持ってダイヤルボタンをプッシュした時などにも横ブレし難く、操作が安定するという優れた効果も有している。
【産業上の利用可能性】
【００６０】
本発明によると、優れた特性を有する有機ＥＬディスプレイを、高性能かつ小型の個人情報機器を始めとするエレクトロニクス機器に使用しながら、なおかつ、その発熱による影響を最大限回避し、高画像品質、安定動作性能、優れた視認性、高応答速度、長寿命、低消費電力を実現することができ、その産業上の利用可能性は極めて大きい。
【図面の簡単な説明】
【００６１】
【図１】本発明の第１の実施の形態である携帯型テレビの外観斜視図
【図２】本発明の第１の実施の形態である携帯型テレビの使用時の平面図
【図３】本発明の第１の実施の形態である携帯型テレビの不使用時の平面図
【図４】本発明の第２の実施の形態である携帯電話装置の外観斜視図
【符号の説明】
【００６２】
１００    携帯型テレビ
１０１，４０１    画像表示部
１０２，４０２    ヒンジ部（回転連結部）
１０３，４２５    スピーカー
１０４    操作ボタンスイッチ
１０５,１０５ａ，１０５ｂ，４０５，４０５ａ，４０５ｂ    本体部
１０９，１０９ａ，１０９ｂ    接合部
４００    携帯電話装置
４２１    マイクロフォン
４２２    電源オンオフスイッチ
４２３    数字入力スイッチ
４２４    音量増減スイッチ
【図１】
2007140247.tif 000003
【図２】
2007140247.tif 000004
【図３】
2007140247.tif 000005
【図４】
2007140247.tif 000006